(57)【要約】【課題】組み立て分解が容易で、保管時、運搬時に嵩張らない組立式消火器スタンドの提供をする。【解決手段】消火器を載置する底板と、消火器を覆う複数の側板とを有し、互いに隣接する前記底板と前記側板、及び、互いに隣接する前記側板どうしが挟持体によって挟持され起立する組立式消火器スタンドであって、前記挟持体は、第１内側挟持片と第２内側挟持片とからなる断面略Ｌ字形状の内側挟持片と、第１外側挟持片と第２外側挟持片とからなる断面略Ｌ字形状の外側挟持片とが、間隙を有するように差し込み位置規制部によって連接されている。【選択図】図２
2015058264.tif 000002
【特許請求の範囲】
【請求項１】
消火器を載置する底板と、消火器を覆う複数の側板とを有し、互いに隣接する前記底板と前記側板、及び、互いに隣接する前記側板どうしが挟持体によって挟持され起立する組立式消火器スタンドであって、
前記挟持体は、第１内側挟持片と第２内側挟持片とからなる断面略Ｌ字形状の内側挟持片と、第１外側挟持片と第２外側挟持片とからなる断面略Ｌ字形状の外側挟持片とが、間隙を有するように差し込み位置規制部によって連接されており、
前記第１内側挟持片と、これに対向する前記第１外側挟持片との間隙に第１差し込み部が形成されると共に、前記第２内側挟持片と、これに対向する前記第２外側挟持片との間隙に第２差し込み部が形成されており、
前記内側挟持片と前記外側挟持片の差し込み方向長さは、前記第１外側挟持片が前記第１内側挟持片よりも長く形成されていると共に、前記第２外側挟持片が前記第２内側挟持片よりも長く形成されており、
前記第１外側挟持片の前記第１内側挟持片と対向する部分よりも端部側に、内側方向に向けて第１突出部が突設されていると共に、前記第２外側挟持片の前記第２内側挟持片と対向する部分よりも端部側に、内側方向に向けて第２突出部が突設されており、
前記底板の側端縁部を前記挟持体の前記第１差し込み部に差し込み、前記底板の側端縁部近傍の所定位置に設けられた貫通孔に前記第１突出部を挿通させると共に、前記側板の下端縁部を前記挟持体の前記第２差し込み部に差し込み、前記側板の下端縁部近傍の所定位置に設けられた貫通孔に前記第２突出部を挿通させ、
隣接する前記側板どうしの、一方の前記側板側端縁部を第１差し込み部に差し込み、前記側板の側端縁部近傍の所定位置に設けられた貫通孔に前記第１突出部を挿通させると共に、他方の前記側板の側端縁部を第２差し込み部に差し込み、前記側板の側端縁部近傍の所定位置に設けられた貫通孔に前記第２突出部を挿通させる組立式消火器スタンド。
【請求項２】
前記第１内側挟持片の前記第１外側挟持片と対向する側には、端部側方向に向かって傾斜する第１傾斜部を有しており、前記第２内側挟持片の前記第２外側挟持片と対向する側には、端部側方向に向かって傾斜する第２傾斜部を有している請求項１記載の組立式消火器スタンド。
【請求項３】
前記第１差し込み部の間隙幅の長さは、前記第１傾斜部の傾斜が始まる部分の間隙幅が、前記第１突出部の突出高さよりも短く、前記第１傾斜部の終端に向かうにしたがって次第に前記第１突出部の突出高さよりも長くなっており、前記第２差し込み部の間隙幅の長さは、前記第２傾斜部の傾斜が始まる部分の間隙幅が、前記第２突出部の突出高さよりも短く、前記第２傾斜部の終端に向かうにしたがって次第に前記第２突出高さよりも長い請求項１又は請求項２に記載の組立式消火器スタンド。
【発明の詳細な説明】
【技術分野】
【０００１】
本発明は、組み立て分解が容易な組立式消火器スタンドに関する。
【背景技術】
【０００２】
従来より、消火器を床上に設置するための収納具として、例えば、円筒形状のケース本体の下端をケース床部に固定するとともに、上記のケース本体の上端をケース屋根部に固定し、上記のケース本体を周方向に切り開いて開口部を形成し、上記のケース床部と上記のケース屋根部とに円形のガイド溝をそれぞれ形成し、断面円弧状のスライド扉の上下端を上記のガイド溝にそれぞれ周方向に摺動可能に嵌合し、そのスライド扉によって上記の開口部を蓋するようにした消火器収納ケースが知られている（例えば、特許文献１）。
【０００３】
また、略Ｕ字形状の底板の一辺に、棒状体を溶接にて連接し、その棒状体の端部に表示部を取り付けた消火器スタンドが知られている（例えば、非特許文献１）
【先行技術文献】
【特許文献】
【０００４】
【特許文献１】実開平７−３９８５６号公報
【非特許文献】
【０００５】
【非特許文献１】ＡＳＫＵＬ  ＩＮＴＥＲＮＥＴ  ＳＨＯＰ  ユニット  消火器置場http://www.askul.co.jp/p/K087604/rtMode=search&SAStruts.method=run&sc_e=cp_p_dt_go_pl_c_p_p5-7
【発明の概要】
【発明が解決しようとする課題】
【０００６】
しかしながら、上記消火器収納ケースでは、パーツ数も多く、複雑な構成となっているので、製造業者等が組み立てて完成させた状態で需要者に販売される。そのため、倉庫等に保管する際には広い保管スペースが必要となり、運搬する際には嵩張り作業に手間がかかるうえに、運搬コストが高くなるという問題があった。
【０００７】
また、上記消火器スタンドにおいては、溶接等の工程を経て組み立てた状態で需要者に販売されるため、同様の問題があった。
【０００８】
本発明は上記課題に鑑みてなされたものであって、その目的とするところは、
組み立て分解が容易で、保管時、運搬時に嵩張らない組立式消火器スタンドの提供をすることにある。
【課題を解決するための手段】
【０００９】
前記した目的を達成するために、本発明に係る組立式消火器スタンドは、消火器を載置する底板と、消火器を覆う複数の側板とを有し、互いに隣接する前記底板と前記側板、及び、互いに隣接する前記側板どうしが挟持体によって挟持され起立する組立式消火器スタンドであって、前記挟持体は、第１内側挟持片と第２内側挟持片とからなる断面略Ｌ字形状の内側挟持片と、第１外側挟持片と第２外側挟持片とからなる断面略Ｌ字形状の外側挟持片とが、間隙を有するように差し込み位置規制部によって連接されており、前記第１内側挟持片と、これに対向する前記第１外側挟持片との間隙に第１差し込み部が形成されると共に、前記第２内側挟持片と、これに対向する前記第２外側挟持片との間隙に第２差し込み部が形成されており、前記内側挟持片と前記外側挟持片の差し込み方向長さは、前記第１外側挟持片が前記第１内側挟持片よりも長く形成されていると共に、前記第２外側挟持片が前記第２内側挟持片よりも長く形成されており、前記第１外側挟持片の前記第１内側挟持片と対向する部分よりも端部側に、内側方向に向けて第１突出部が突設されていると共に、前記第２外側挟持片の前記第２内側挟持片と対向する部分よりも端部側に、内側方向に向けて第２突出部が突設されており、前記底板の側端縁部を前記挟持体の前記第１差し込み部に差し込み、前記底板の側端縁部近傍の所定位置に設けられた貫通孔に前記第１突出部を挿通させると共に、前記側板の下端縁部を前記挟持体の前記第２差し込み部に差し込み、前記側板の下端縁部近傍の所定位置に設けられた貫通孔に前記第２突出部を挿通させ、隣接する前記側板どうしの、一方の前記側板側端縁部を第１差し込み部に差し込み、前記側板の側端縁部近傍の所定位置に設けられた貫通孔に前記第１突出部を挿通させると共に、他方の前記側板の側端縁部を第２差し込み部に差し込み、前記側板の側端縁部近傍の所定位置に設けられた貫通孔に前記第２突出部を挿通させることとしている。
【００１０】
また、前記第１内側挟持片の前記第１外側挟持片と対向する側には、端部側方向に向かって傾斜する第１傾斜部を有しており、前記第２内側挟持片の前記第２外側挟持片と対向する側には、端部側方向に向かって傾斜する第２傾斜部を有することができる。
【００１１】
また、前記第１差し込み部の間隙幅の長さは、前記第１傾斜部の傾斜が始まる部分の間隙幅が、前記第１突出部の突出高さよりも短く、前記第１傾斜部の終端に向かうにしたがって次第に前記第１突出部の突出高さよりも長くなっており、前記第２差し込み部の間隙幅の長さは、前記第２傾斜部の傾斜が始まる部分の間隙幅が、前記第２突出部の突出高さよりも短く、前記第２傾斜部の終端に向かうにしたがって次第に前記第２突出高さよりも長くすることができる。
【発明の効果】
【００１２】
このように、本発明に係る組立式消火器スタンドによれば、組み立て分解が容易で、保管時、運搬時に嵩張らない。
【図面の簡単な説明】
【００１３】
【図１】本発明の一実施形体に係る組立式消火器スタンドの正面図である。
【図２】本発明の一実施形態に係る組立式消火器スタンドを斜め上方から見た斜視図である。
【図３】本発明の一実施形態に係る組立式消火器スタンドを斜め下方から見た斜視図である。
【図４】本発明の一実施形態に係る組立式消火器スタンドの分解斜視図である。
【図５】図１のＡ−Ａ線断面図である。
【図６】図１のＢ−Ｂ線断面図である。
【図７】挟持体の斜視図である。
【図８】挟持体の側面図である。
【図９】本発明の一実施形態に係る組立式消火器スタンドの使用状態を示す説明図である。
【発明を実施するための形態】
【００１４】
以下、本発明に係る実施形態を図面に従って説明するが、本発明はこの実施形態に限定されるものではない。
【００１５】
図１は、本発明の一実施形態に係る組立式消火器スタンドの正面図である。図２は、本発明の一実施形態に係る組立式消火器スタンドを斜め上方から見た斜視図である。図３は、本発明の一実施形態に係る組立式消火器スタンドの斜め下方から見た斜視図である。この組立式消火器スタンドは、消火器Ｓを載置する底板１と、消火器Ｓを覆う複数の側板２とを有し、互いに隣接する底板１と側板２、及び、互いに隣接する側板２どうしが挟持体Ｋによって挟持され起立するものである。
【００１６】
図２、図３及び図４に示すように、底板１は、消火器Ｓを載置可能な大きさ及び形状の板体であって、隣り合う側板２と挟持体Ｋによって連結することが可能な形状であれば特に限定されない。本実施形態に係る底板１は角丸略正方形の板体であるが、例えば、角丸略長方形の板体や、矩形状の板体の一辺の点から、隣り合う一辺の一点に向けて円弧状に丸めた形状の板体や、略正方形状の板体の対向する角部から角部に向けて円弧状に丸めた略扇形状の板体等としてもよい。
【００１７】
底板１の所定位置には、貫通孔３が形成されている。貫通孔３は、挟持体Ｋに設けられた第１突出部５３又は第２突出部５４が挿通可能な受け孔であり、対応する第１突出部５３又は第２突出部５４の外径よりも僅かに広い内径を有する。本実施形態においては、円形状の貫通孔３が形成されている。貫通孔３は、底板１の側端縁部近傍の所定の位置に設けられている。具体的には、貫通孔３は、底板１と側板２とを挟持体Ｋにて連結した際に、挟持体Ｋの第１突出部５３又は第２突出部５４と対応する位置に設けられている。
【００１８】
図３に示すように、底板１の裏面には、スペーサ１１が適宜の位置に設けられている。スペーサ１１は、挟持片にて隣接する側板２と連接された底板１の裏面側近傍と他の部分との高さ調節をし、組立式消火器スタンドのガタツキを防止するものである。スペーサ１１は、第１外側挟持片５１、第２外側挟持片５２の厚さと略同一の板体であって、接着剤などの貼着剤によって底板１の裏面に貼付されている。本実施形態に使用されるスペーサ１１は、挟持体Ｋと同じ樹脂を使用した矩形の板体であるが、これに限定されない。なお、上述した組立て式消火器スタンドの高さ調節は、底板１の裏面を凸状に突出させる等して、ガタツキを防止することもできる。
【００１９】
図２、図３及び図４に示すように、側板２は挟持体Ｋを介して底板１に連結され、底板１に載置された消火器Ｓの側部を覆うものである。側板２は、消火器Ｓの側部を覆う大きさ及び形状の板体であって、隣接する底板１、隣接する側板２と挟持体Ｋによって連結することが可能な形状であれば特に限定されない。本実施形態の側板２は角丸略長方形形状の板体であって、その短辺（幅方向長さ）の長さは、連結される底板１の一辺と略同一の長さであり、長辺（高さ方向長さ）の長さは、消火器Ｓの高さよりも長く消火器Ｓの側部を覆う長さである。
【００２０】
側板２の所定位置には、貫通孔３が形成されている。貫通孔３は、底板１の貫通孔３と同様に、挟持体Ｋに設けられた第１突出部５３又は第２突出部５４が挿通可能な受け孔であり、対応する第１突出部５３又は第２突出部５４の外径よりも僅かに広い内径を有する。本実施形態においては、円形状の貫通孔３が形成されている。貫通孔３は、側板２の底板１と連結される側の下端縁部近傍の所定の位置と、隣接する側板２と連結される側板２の側端縁部近傍の所定位置に設けられている。具体的には、貫通孔３は、底板１と側板２及び隣接する側板２どうしを挟持体Ｋにて挟持し連結した際に、挟持体Ｋの第１突出部５３又は第２突出部５４と対応する位置に設けられている。
【００２１】
また、側板２の適宜の位置には、本実施形態の組立式消火器スタンドに消火器Ｓが載置されていることを表示する表示部９が設けられている。
【００２２】
底板１及び側板２は、起立する強度とある程度の可撓制を有する金属材料又は硬質性の樹脂を使用しているがこれらに限定されない。底板１及び側板２は、例えばスチール、ステンレス等の金属で形成すれば、強度的にも意匠的にも好ましい。底板１及び側板２は、角丸に形成することで、運搬時や設置時に、人や物が組立式消火器スタンドに当っても損傷を受けることが少ないので好ましいが、これに限定されない。
【００２３】
図７に示す挟持体Ｋは、隣接する底板１と側板２、及び、隣接する側板２どうしを挟持し連結するものである。挟持体Ｋは樹脂等の材料にて一体的に形成されている。
【００２４】
図８に示すように、挟持体Ｋは、第１内側挟持片４１と第２内側挟持片４２とからなる断面略Ｌ字形状の内側挟持片４と、第１外側挟持片５１と第２外側挟持片５２とからなる断面略Ｌ字形状の外側挟持片５とが、間隙を有するように指し込み位置規制部６によって連設されており、第１内側挟持片４１と、これに対向する第１外側挟持片５１との間隙に第１差し込み部６１が形成されると共に、第２内側挟持片４２と、これに対向する第２外側挟持片５２との間隙に第２差し込み部６２が形成される。
【００２５】
具体的には、図７に示すように、第１外側挟持片５１と第２外側挟持片５２とがＬ字状に交わる角部全体に亘って、内側に向けて略Ｌ字状の指し込み位置規制部６が突設されており、その略Ｌ字状の指し込み位置規制部６の角部の略中央部から内側に向けて内側挟持片４が突設されている。
【００２６】
図８に示すように、指し込み位置規制部６は、第１外側挟持片５１から略垂直に突出し、第１差し込み部６１の壁部となる第１壁部６３を有し、第２外側挟持片５２から略垂直に突出し、第２差し込み部６２の壁部となる第２壁部６４を有する。これにより、組立式消火器スタンドを組み立てた際、隣接する底板１と側板２又は隣接する側板２どうしが緩衝することを防ぐことができる。
【００２７】
第１内側挟持片４１の第１外側挟持片５１と対向する側には、端部側方向に向かって傾斜する第１傾斜部４３を有している。同様に、第２内側挟持片４２の第２外側挟持片５２と対向する側には、端部側方向に向かって傾斜する第２傾斜部４４を有している。なお、第１傾斜部４３、第２傾斜部４４を設けない構成とすることもできる。
【００２８】
具体的には、図８に示すように、第１傾斜部４３は、第１内側挟持片４１の差し込み方向長さの中央よりも端部側よりから端部に向けて徐々に傾斜している。第２傾斜部４４も同様に、第２内側挟持片４２の差し込み方向長さの中央よりも端部側よりから端部に向けて徐々に傾斜している。これにより、第１内側挟持片４１の端部側に向けて間隙幅Ｇが次第に広がる間隙を有する第１差し込み部６１と、第２内側挟持片４２の端部側に向けて間隙幅Ｇが次第に広がる間隙を有する第２差し込み部６２とが形成される。
【００２９】
内側挟持片４と外側挟持片５の差し込み方向長さは、第１外側挟持片５１が第１内側挟持片４１よりも長く形成されていると共に、第２外側挟持片５２が第２内側挟持片４２よりも長く形成されており、第１外側挟持片５１の第１内側挟持片４１と対向する部分よりも端部側に、内側方向に向けて第１突出部５３が突設されていると共に、第２外側挟持片５２の第２内側挟持片４２と対向する部分よりも端部側に、内側方向に向けて第２突出部５４が突設されている。
【００３０】
第１突出部５３の角部側の終端と第１内側挟持片４１の端部側の終端は重なっておらず、底板１又は側板２を抜き差しする開口部となっている。第２突出部５４の角部側の終端と第２内側挟持片４２の端部側の終端は重なっておらず、底板１又は側板２を抜き差しする開口部となっている。
【００３１】
第１突出部は、底板１と側板２とに設けられた貫通孔３に挿通可能であって、底板１と側板２との平面方向の可動を規制するものである。同様に、第２突出部は、底板１と側板２とに設けられた貫通孔３に挿通可能であって、底板１と側板２との平面方向の可動を規制するものである。
【００３２】
本実施形態のおける第１突出部は、第１外側挟持片５１から略円盤形状に突設されており、同様に、第２突出部５４は、第２外側挟持片５２から略円盤形状に突設されているが、第１突出部と第２突出部の形状は、底板１又は側板２に設けられた貫通孔３に挿通可能であれば特に限定されない。
【００３３】
貫通孔３の内径は、第１突出部５３の外径よりもある程度広い内径に形成されており、貫通孔３に第１突出部が挿通された際に貫通孔３と第１突出部５３との間に若干の遊びスペースを有することが好ましい。同様に、貫通孔３内径は、第２突出部５４の外径よりもある程度広い内径に形成され、貫通孔３に第２突出部５４が挿通された際に貫通孔３と第２突出部５４との間に若干の遊びスペースを有することが好ましい。これにより、底板１を、第１突出部５３又は第２突出部５４に挿通しやすくすると共に、その挿通状態の解除が容易となる。同様に、側板２を、第１突出部５３又は第２突出部５４に挿通しやすくすると共に、その挿通状態の解除が容易となる。
【００３４】
第１突出部の突出高さＴは、底板１及び側板２の厚みよりも略同一か僅かに長く形成されていることが好ましい。同様に、第２突出部の突出高さＴは、底板１及び側板２の厚みよりも略同一か僅かに長く形成されていることが好ましい。これにより、第１突出部と第２突出部とが、底板１又は側板２に設けられた貫通孔３に適切に挿通し、例えば、側板２に引き抜き方向の力が加わっても、意図せずに側板２が挟持体Ｋから引き抜かれることを防止することができる。
【００３５】
図５又は図６に示すように、第１差し込み部６１の第１外側挟持片５１と第１内側挟持片４１とが断面略平行に対向している部分の間隙幅Ｇは、挿入される底板１又は側板２の厚みより短く形成されている。同様に、第２差し込み部６２の第２外側挟持片５２と第２内側挟持片４２とが断面略平行に対向している部分の間隙幅Ｇは、挿入される底板１又は側板２の厚みより短く形成されている。したがって、底板１と側板２とは、第１差し込み部６１又は第２差し込み部６２に容易に抜き差し可能となる。
【００３６】
さらに、第１差し込み部６１の間隙幅Ｇの長さは、第１傾斜部４３の傾斜が始まる部分の間隙幅Ｇが、第１突出部の突出高さＴよりも短く、第１傾斜部４３の終端に向かうにしたがって次第に第１突出部の突出高さＴよりも長くなっている。同様に、第２差し込み部６２の間隙幅Ｇの長さは、第２傾斜部４４の傾斜が始まる部分の間隙幅Ｇが、第２突出部の突出高さＴよりも短く、第２傾斜部４４の終端に向かうにしたがって次第に第２突出高さＴよりも長くなっている。
【００３７】
第１内側挟持片４１と第２内側挟持片４２とからなる断面略Ｌ字形状の内側挟持片４の幅方向略中央に断面略三角形状の補強のためのリブ８が設けられている。
【００３８】
挟持体Ｋは、第１外側挟持片５１と第２外側挟持片５２とからなる断面略Ｌ字状の外側挟持片５の角部のなす角度を２等分する仮想面に対して対称の形状をしているが、これに限定されず、第１外側挟持片５１と第２外側挟持片５２とからなる断面略Ｌ字状の外側挟持片５の角部のなす角度を２等分する仮想面に対して非対称の形状としてもよい。また、本実施形態に係る組立式消火器スタンドの用いられる挟持体Ｋは、略矩形状の第１内側挟持片４１と略矩形状の第２内側挟持片４２とからなる断面略Ｌ字形状の内側挟持片４と、略矩形状の第１外側挟持片５１と略矩形状の第２外側挟持片５２とからなる断面略Ｌ字形状の外側挟持片５とが、間隙を有するように差し込み位置規制部６によって連接されるものとしているが、挟持体Ｋの形状は特に限定されるものではなく、第１内側挟持片４１、第２内側挟持片４２、第１外側挟持片５１及び第２外側挟持片５２の形状は、例えば、略半円形状、略Ｕ字状形状、角丸略三角形状、略台形形状等種々の形状とすることができる。
【００３９】
本実施形態に係る組立式消火器スタンドは、図２及び図３に示すように、略角丸正方形の底板１における略直角に交わる２辺に、それぞれ略角丸長方形の側板２を挟持体Ｋにて連結し、２枚の側板２を起立させている。底板１と側板２とは、互いに隣接する辺の両端近傍の２箇所を挟持体Ｋにてそれぞれ挟持している。側板２どうしは、互いに隣接する辺の上端よりもやや下方の１箇所を挟持体Ｋにて挟持している。
【００４０】
次に、本実施形態に係る組立式消火器スタンドの組み立て方法を説明する。
【００４１】
本実施形態に係る組立式消火器スタンドの組み立て方法については、特に工程順は決まっておらず、図４に示すように、互いに隣接する底板１と側板２、及び、互いに隣接する側板２どうしの所定の挟持箇所を、挟持体Ｋにてそれぞれ挟持し連結すればよい。具体的には、図５に示すように、底板１の側端縁部を挟持体Ｋの第１差し込み部６１に差し込み、当該側端縁部近傍の所定位置に設けられた貫通孔３に第１突出部５３を挿通させると共に、側板２の下端縁部を挟持体Ｋの第２差し込み部６２に差し込み、当該下端縁部近傍の所定位置に設けられた貫通孔３に第２突出部５４を挿通させ、図６に示すように、隣接する側板２どうしの、一方の側板２の側端縁部を第１差し込み部６１に差し込み、当該側端縁部近傍の所定位置に設けられた貫通孔３に第１突出部５３を挿通させると共に、他方の側板２の側端縁部を第２差し込み部６２に差し込み、当該側端縁部近傍の所定位置に設けられた貫通孔３に第２突出部５４を挿通させる（図６参照）。
【００４２】
さらに具体的には、まず、底板１の側端縁部を第１開口部７１から底板１を撓ませながら第１傾斜部４３に沿わせて第１差し込み部６１に挿入する。次に、第１差し込み部６１に差し込まれた底板１の側端が第１壁部６３に当接したところで、底板１を第１外側挟持片５１に向けて押し当てるようにして、底板１の側端縁部近傍に設けられている貫通孔３に第１突出部５３を挿通させる。同様に、側板２の下端縁部を第２開口部７２から側板２を撓ませながら第２傾斜部４４に沿わせて第２差し込み部６２に挿入する。次に、第２差し込み部６２に差し込まれた側板２の側端が第２壁部６４に当接したところで、側板２を第２外側挟持片５２に向けて押し当てるようにして、側板２の下端縁部近傍に設けられた貫通孔３に挿通させる。この手順を、互いに隣接する底板１と側板２とを連結する挟持箇所全てにおいて行う。
【００４３】
次に、互いに隣接する側板２どうしの挟持箇所を挟持体Ｋにて連結する。まず、一方の側板２の側端縁部を第１開口部７１から側板２を撓ませながら第１傾斜部４３に沿わせて第１差し込み部６１に挿入する。次に、第１差し込み部６１に差し込まれた側板２の側端が第１壁部６３に当接したところで、側板２を第１外側挟持片５１に向けて押し当てるようにして、側板２の側端縁部近傍に設けられている貫通孔３に第１突出部５３を挿通させる。同様に、他方の側板２の側端縁部を第２開口部７２から側板２を撓ませながら第２傾斜部４４に沿わせて第２差し込み部６２に挿入する。次に第２差し込み部６２に差し込まれた側板２の側端が第２壁部６４に当接したところで、側板２を第２外側挟持片５２に向けて押し当てるようにして、側板２の側端縁部近傍に設けられた貫通孔３に挿通させる。
【００４４】
このようにして底板１と側板２の全ての挟持箇所を、挟持体Ｋにて挟持することで、側板２が底板１に対して略垂直に起立し、組立式消火器スタンドが組み上がる。
【００４５】
なお、先に底板１における全ての挟持箇所について、挟持体Ｋを挟持させた後、２枚の側板２を挟持体Ｋに順次挟持させ、最後に隣接する側板２どうしの所定箇所を挟持体Ｋにて挟持すれば、より簡易に組み立てることができる。
【００４６】
次に、本実施形態の組立式消火器スタンドの分解方法を説明する。
【００４７】
本実施形態に係る組立式消火器スタンドの分解方法についても、特に工程順は決まっておらず、底板１と側板２、及び、側板２どうしを挟持している挟持体Ｋを順次取り外せばよい。
【００４８】
側板２どうしを連結した挟持体Ｋを取り外す場合を説明する。まず、一方の側板２を内側に撓ませて、当該側板２の貫通孔３が第１突出部５３に挿通した状態を解除する。そして、側板２を撓ませた状態で、第１傾斜部４３に沿わせながら第１差し込み部６１から側板２を抜き出す。次に、他方の側板２を内側に撓ませて、当該側板２の貫通孔３が第２突出部５４に挿通した状態を解除する。そして、側板２を撓ませた状態で、第２傾斜部４４に沿わせながら第２差し込み部６２から側板２を抜き出せば、挟持体Ｋが取り外せる。
【００４９】
次に、底板１と側板２とを連結した挟持体Ｋを取り外す場合を説明する。まず、側板２を内側に撓ませて、当該側板２の貫通孔３が第２突出部５４に挿通した状態を解除する。そして、側板２を撓ませた状態で、第２傾斜部４４に沿わせながら第２差し込み部６２から側板２を抜き出す。次に、底板１の側板２を内側に撓ませて、当該側板２の貫通孔３が第１突出部５３に挿入した状態を解除する。そして、底板１を撓ませた状態で、第１傾斜部４３に沿わせながら第１差し込み部６１から底板１を抜き出せば、挟持体Ｋが取り外せる。この手順を、互いに隣接する底板１と側板２とを連結する挟持箇所全てにおいて行う。
【００５０】
このようにして、本実施形態の組立式消火器スタンドは簡易に分解することができる。
【００５１】
なお、先に側板２どうしを連結している挟持体Ｋを取り外した後に、底板１と側板２とを連結している挟持体Ｋを取り外せば、より簡易に分解することができる。
【００５２】
本実施形態に係る組立式消火器スタンドは、例えば、図９に示すように、部屋の壁際の角に、設置すれば、組立式消火器スタンドに載置された消火器Ｓは、２枚の側板２と壁に囲まれた状態となり、体裁よく載置でき、かつ、意匠的にも非常にシンプルで優れたものとなる。
【００５３】
本実施形態に係る組立式消火器スタンドは、非常に少ないパーツ、つまり、底板１、複数の側板２、挟持体Ｋから構成されているうえに、組み立て分解が容易なため、販売時に組み立てた状態で販売しなくても、客先で容易に組み立てられるので、保管時、運搬時に嵩張らない。また、本実施形態に係る組立式消火器スタンドは、パーツ数が少なく、簡易な構成となっているのでコストを抑えることができる。
【００５４】
以上説明した本実施形態に係る組立式消火器スタンドは、底板１と２枚の側板２とが挟持体Ｋにより連結されて起立するものとしているが、これには限定されず、例えば、板体が矩形形状である場合、３枚の側板２を挟持体Ｋにて連結し三方を囲むようにしても良いし、４枚の側板２を挟持体Ｋにて連結し四方を囲むようにしてもよく、底板１に連結される側板２の枚数は、底板１の形状、設置場所等に応じて適宜変更することができる。また、互いに隣接する底板１と側板２、及び、互いに隣接する側板２どうしを挟持体Ｋにて挟持する位置は、特に限定されるものではなく、組立式消火器スタンドが適切に起立すればよく、底板１又は側板２の形状又は材質、挟持体Ｋの形状又は材質等によって、適宜変更することができる。
【００５５】
以上のとおり、図面を参照しながら本発明の好適な実施形態を説明したが、本発明の趣旨を逸脱しない範囲で、種々の追加、変更又は削除が可能である。したがって、そのようなものも本発明の範囲内に含まれる。
【符号の説明】
【００５６】
１    底板
１１  スペーサ
２    側板
３    貫通孔
Ｋ    挟持体
４    内側挟持片
４１  第１内側挟持片
４２  第２内側挟持片
４３  第１傾斜部
４４  第２傾斜部
５    外側挟持片
５１  第１外側挟持片
５２  第２外側挟持片
５３  第１突起部
５４  第２突起部
Ｔ    突出高さ
６    差し込み位置規制部
６１  第１差し込み部
６２  第２差し込み部
６３  第１壁部
６４  第２壁部
Ｇ    間隙幅
７１    第１開口部
７２    第２開口部
８      リブ
９      表示部
Ｓ      消火器
【図１】
2015058264.tif 000003
【図２】
2015058264.tif 000004
【図３】
2015058264.tif 000005
【図４】
2015058264.tif 000006
【図５】
2015058264.tif 000007
【図６】
2015058264.tif 000008
【図７】
2015058264.tif 000009
【図８】
2015058264.tif 000010
【図９】
2015058264.tif 000011